(57)【要約】【課題】電源を切る操作がなされた端末から受信した端末の位置情報に基づいて地図情報を取得し、位置情報及び地図情報を送信することができる位置情報装置を提供する。【解決手段】位置情報装置２２４は、位置情報通知モードが設定され、電源を切る操作がなされて、見かけ上は電源オフの状態である端末１００から、前記端末が取得した位置情報を受信する受信部と、前記位置情報に基づいて、地図情報が記憶されている記憶部から、地図情報を取得する取得部と、前記位置情報及び前記地図情報を、第１装置に送信する送信部と、を有する。【選択図】図３
2010206810.tif 000002
【特許請求の範囲】
【請求項１】
位置情報通知モードが設定され、電源を切る操作がなされて、見かけ上は電源オフの状態である端末から、前記端末が取得した位置情報を受信する受信部と、
前記位置情報に基づいて、地図情報が記憶されている記憶部から、地図情報を取得する取得部と、
前記位置情報及び前記地図情報を、第１装置に送信する送信部と、
を有することを特徴とする位置情報装置。
【請求項２】
請求項１に記載の位置情報装置において、
前記取得部は、前記位置情報の緯度経度情報または基地局の情報に基づいて住所情報を取得して、前記住所情報に基づいて前記記憶部から前記地図情報を取得し、
前記送信部は、前記住所情報及び前記地図情報を、前記第１装置に送信すること
を特徴とする位置情報装置。
【請求項３】
地図サーバと位置情報サーバとを有する位置情報システムにおいて、
前記地図サーバは、地図情報が記憶されている記憶部を有し、
前記位置情報サーバは、請求項１に記載される前記受信部と、前記取得部と、前記送信部とを有し、
前記受信部は、位置情報通知モードが設定され、電源を切る操作がなされて、見かけ上は電源オフの状態である端末から、前記端末が取得した位置情報を受信し、
取得部は、前記位置情報に基づいて前記地図サーバの前記記憶部から地図情報を取得し、
前記送信部は、前記位置情報及び前記地図情報を、第１装置に送信すること
を特徴とする位置情報システム。
【請求項４】
請求項３に記載の位置情報システムにおいて、
前記取得部は、前記位置情報の緯度経度情報または基地局の情報に基づいて住所情報を取得して、前記住所情報に基づいて前記地図サーバの前記記憶部から地図情報を取得し、
前記送信部は、前記住所情報及び前記地図情報を、前記第１装置に送信すること
を特徴とする位置情報システム。
【請求項５】
受信部と、取得部と、送信部とを有する位置情報装置の制御方法において、
前記受信部が、位置情報通知モードが設定され、電源を切る操作がなされて、見かけ上は電源オフの状態である端末から、前記端末が取得した位置情報を受信する第１ステップと、
前記取得部が、前記位置情報に基づいて、地図情報が記憶されている記憶部から、地図情報を取得する第２ステップと、
前記送信部が、前記位置情報及び前記地図情報を、第１装置に送信する第３ステップと
を有することを特徴とする位置情報装置の制御方法。
【請求項６】
請求項５に記載の位置情報装置の制御方法において、
前記第２ステップは、前記取得部が、前記位置情報の緯度経度情報または基地局の情報に基づいて住所情報を取得して、住所情報に基づいて前記記憶部から前記地図情報を取得するステップであり、
前記第３ステップは、前記送信部が、前記住所情報及び前記地図情報を、前記第１装置に送信するステップであること
を特徴とする位置情報装置の制御方法。
【請求項７】
受信部と、取得部と、送信部とを有する位置情報サーバと、
地図情報が記憶されている記憶部を有する地図サーバと
を有する位置情報システムの制御方法において、
前記受信部が、位置情報通知モードが設定され、電源を切る操作がなされて、見かけ上は電源オフの状態である端末から、前記端末が取得した位置情報を受信する第１ステップと、
前記取得部が、前記位置情報に基づいて、地図情報が記憶されている記憶部から、地図情報を取得する第２ステップと、
前記送信部が、前記位置情報及び前記地図情報を、第１装置に送信する第３ステップと
を有することを特徴とする位置情報システムの制御方法。
【請求項８】
請求項７に記載の位置情報システムの制御方法において、
前記第２ステップは、前記取得部が、前記位置情報の緯度経度情報または基地局の情報に基づいて住所情報を取得して、住所情報に基づいて前記記憶部から前記地図情報を取得するステップであり、
前記第３ステップは、前記送信部が、前記住所情報と前記地図情報を、前記第１装置に送信するステップである
ことを特徴とする位置情報システムの制御方法。
【請求項９】
位置情報装置を、
位置情報通知モードが設定され、電源を切る操作がなされて、見かけ上は電源オフの状態である端末から、前記端末が取得した位置情報を受信する受信部と、
前記位置情報に基づいて、地図情報が記憶されている記憶部から、地図情報を取得する取得部と、
前記位置情報及び前記地図情報を、第１装置に送信する送信部として機能させるための
位置情報装置の制御プログラム。
【請求項１０】
請求項９に記載の位置情報装置の制御プログラムにおいて、
前記取得部は、前記位置情報の緯度経度情報または基地局の情報に基づいて住所情報を取得して、住所情報に基づいて前記記憶部から前記地図情報を取得し、
前記送信部は、前記住所情報及び前記地図情報を、前記第１装置に送信すること
を特徴とする位置情報装置の制御プログラム。
【発明の詳細な説明】
【技術分野】
【０００１】
本発明は，位置情報装置、位置情報システム、位置情報装置の制御方法、位置情報システムの制御方法、及び位置情報装置の制御プログラムに関する。
【背景技術】
【０００２】
近年，携帯電話機の機能のひとつとして，ＧＰＳ（Ｇｌｏｂａｌ  Ｐｏｓｉｔｉｏｎｉｎｇ  Ｓｙｓｔｅｍ）衛星から発信される情報やＰＨＳ（Ｐｅｒｓｏｎａｌ  Ｈａｎｄｙｐｈｏｎｅ  Ｓｙｓｔｅｍ）用や携帯電話機用に設置された基地局で得られる情報を利用して，携帯電話機の位置情報を取得する機能がある。例えば，このような機能を備えた携帯電話機を子供に所持させることにより，子供の居場所を随時知ることが可能となる。
【０００３】
また，携帯電話機に位置情報を取得する機能と緊急用ボタンとを備え，緊急用ボタンを押下する操作により，位置情報を検出することができる携帯電話機が開示されている（例えば，特許文献１）。これにより，携帯電話機を所持した児童が危険な状況に置かれた場合に，児童は緊急ボタンを押下するという簡単な操作のみで携帯電話機の位置情報等を直ちに通知することができ，緊急事態に対して速やかに対処することが可能となる。
【先行技術文献】
【特許文献】
【０００４】
【特許文献１】特開２００４−４０７３３号公報
【発明の概要】
【発明が解決しようとする課題】
【０００５】
しかし，例えば不審者によって児童が誘拐された場合には，不審者は児童の持ち物を確認し，携帯電話機があった場合には，居場所を突きとめられないように携帯電話機の電源を切断することが考えられる。そのため，緊急用ボタンを押下することによって，押下された時点の位置情報を通知することができるが，電源が切られてしまった後は携帯電話機の位置情報を入手することが出来なくなってしまう。したがって，不審者が児童を連れて移動した場合には，児童の居場所が分からなくなってしまうという問題があった。
【０００６】
そこで，本発明は，このような問題に鑑みてなされたもので，その目的とするところは，ユーザにより移動端末の電源切断操作がなされた場合においても，電源を切る操作がなされた端末から受信した端末の位置情報に基づいて地図情報を取得し、位置情報と地図情報を第１装置に送信することができる、位置情報装置、位置情報システム、位置情報装置の制御方法、位置情報システムの制御方法、及び位置情報装置の制御プログラムを提供することにある。
【課題を解決するための手段】
【０００７】
上記課題を解決するために，本発明のある観点によれば、位置情報通知モードが設定され、電源を切る操作がなされて、見かけ上は電源オフの状態である端末から、前記端末が取得した位置情報を受信する受信部と、前記位置情報に基づいて、地図情報が記憶されている記憶部から、地図情報を取得する取得部と、前記位置情報及び前記地図情報を、第１装置に送信する送信部と、を有することを特徴とする位置情報装置が提供される。
【０００８】
また、前記取得部は、前記位置情報の緯度経度情報または基地局の情報に基づいて住所情報を取得して、前記住所情報に基づいて前記記憶部から前記地図情報を取得し、前記送信部は、前記住所情報及び前記地図情報を、前記第１装置に送信してもよい。
【０００９】
また、上記課題を解決するために、本発明の他の観点によれば、地図サーバと位置情報サーバとを有する位置情報システムにおいて、前記地図サーバは、地図情報が記憶されている記憶部を有し、前記位置情報サーバは、前記受信部と、前記取得部と、前記送信部とを有し、前記受信部は、位置情報通知モードが設定され、電源を切る操作がなされて、見かけ上は電源オフの状態である端末から、前記端末が取得した位置情報を受信し、取得部は、前記位置情報に基づいて前記地図サーバの前記記憶部から地図情報を取得し、前記送信部は、前記位置情報及び前記地図情報を、第１装置に送信することを特徴とする位置情報システムが提供される。
【００１０】
また、前記取得部は、前記位置情報の緯度経度情報または基地局の情報に基づいて住所情報を取得して、前記住所情報に基づいて前記地図サーバの前記記憶部から地図情報を取得し、前記送信部は、前記住所情報及び前記地図情報を、前記第１装置に送信してもよい。
【００１１】
また、上記課題を解決するために、本発明の他の観点によれば、受信部と、取得部と、送信部とを有する位置情報装置の制御方法において、前記受信部が、位置情報通知モードが設定され、電源を切る操作がなされて、見かけ上は電源オフの状態である端末から、前記端末が取得した位置情報を受信する第１ステップと、前記取得部が、前記位置情報に基づいて、地図情報が記憶されている記憶部から、地図情報を取得する第２ステップと、前記送信部が、前記位置情報及び前記地図情報を、第１装置に送信する第３ステップとを有することを特徴とする位置情報装置の制御方法が提供される。
【００１２】
また、前記第２ステップは、前記取得部が、前記位置情報の緯度経度情報または基地局の情報に基づいて住所情報を取得して、住所情報に基づいて前記記憶部から前記地図情報を取得するステップであり、前記第３ステップは、前記送信部が、前記住所情報及び前記地図情報を、前記第１装置に送信するステップであってもよい。
【００１３】
また、上記課題を解決するために、本発明の他の観点によれば、受信部と、取得部と、送信部とを有する位置情報サーバと、地図情報が記憶されている記憶部を有する地図サーバとを有する位置情報システムの制御方法において、前記受信部が、位置情報通知モードが設定され、電源を切る操作がなされて、見かけ上は電源オフの状態である端末から、前記端末が取得した位置情報を受信する第１ステップと、前記取得部が、前記位置情報に基づいて、地図情報が記憶されている記憶部から、地図情報を取得する第２ステップと、前記送信部が、前記位置情報及び前記地図情報を、第１装置に送信する第３ステップとを有することを特徴とする位置情報システムの制御方法が提供される。
【００１４】
また、前記第２ステップは、前記取得部が、前記位置情報の緯度経度情報または基地局の情報に基づいて住所情報を取得して、住所情報に基づいて前記記憶部から前記地図情報を取得するステップであり、前記第３ステップは、前記送信部が、前記住所情報と前記地図情報を、前記第１装置に送信するステップであってもよい。
【００１５】
また、上記課題を解決するために、本発明の他の観点によれば、位置情報装置を、位置情報通知モードが設定され、電源を切る操作がなされて、見かけ上は電源オフの状態である端末から、前記端末が取得した位置情報を受信する受信部と、前記位置情報に基づいて、地図情報が記憶されている記憶部から、地図情報を取得する取得部と、前記位置情報及び前記地図情報を、第１装置に送信する送信部として機能させるための位置情報装置の制御プログラムが提供される。
【００１６】
また、前記取得部は、前記位置情報の緯度経度情報または基地局の情報に基づいて住所情報を取得して、住所情報に基づいて前記記憶部から前記地図情報を取得し、前記送信部は、前記住所情報及び前記地図情報を、前記第１装置に送信してもよい。
【発明の効果】
【００１７】
以上説明したように本発明によれば，ユーザにより移動端末の電源切断操作がなされ，見掛け上はあたかも電源がオフの状態となっていてる端末から受信した端末の位置情報に基づいて地図情報を取得し、位置情報及び地図情報を第１装置に送信することが可能となる。
【図面の簡単な説明】
【００１８】
【図１】本発明の第１の実施形態にかかる位置情報検知システム１０の全体構成図である。
【図２】同実施の形態にかかる移動端末および位置情報検知サーバの機能構成図である。
【図３】同実施の形態にかかる位置情報検知システムの例を示した構成図である。
【図４】同実施の形態にかかる移動端末における処理の流れを説明するフローチャートである。
【図５】同実施の形態にかかる移動端末における処理の流れを説明するフローチャートである。
【図６】同実施の形態にかかる位置情報検知システムの処理の流れを説明する説明図である。
【図７】本発明の第２の実施形態にかかる位置情報検知システムの例を示した構成図である。
【図８】同実施の形態にかかる位置情報検知システムの処理の流れを説明する説明図である。
【発明を実施するための形態】
【００１９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２０】
（第１実施形態）
第１実施形態では，ユーザが所有する移動端末と，位置情報検知サーバとがネットワークを介して接続可能であり，移動端末により取得された位置情報を位置情報検知サーバに送信可能な位置情報検知システム１０に，本発明にかかる位置情報検知システムを適用して説明する。
【００２１】
＜１．位置情報検知システムの全体構成＞
図１に基づいて本実施形態にかかる位置情報検知システム１０の全体構成について説明する。図１は，本実施形態にかかる位置情報検知システム１０を示す全体構成図である。位置情報検知システム１０は，移動端末１００と，位置情報検知サーバ２００と，ネットワーク３００などを備える。
【００２２】
移動端末１００は，ユーザの位置情報を取得する機能を有する情報処理装置であり，例えば携帯電話やＰＤＡ（Ｐｅｒｓｏｎａｌ  Ｄｉｇｉｔａｌ  Ａｓｓｉｓｔａｎｔ）など，ユーザが持ち歩くことが可能な移動端末である。位置情報を取得する方法としては，例えば，ＧＰＳ衛星から発信される情報や，ＰＨＳ用や携帯電話用に設置された基地局で得られる情報を利用して位置情報を取得し，取得した位置情報を位置情報検知サーバ２００に送信することができる。本実施形態では，移動端末１００により位置情報が取得され，取得された位置情報が位置情報検知サーバ２００に送信されることを，位置情報を通知するともいう。
【００２３】
移動端末１００は，ユーザの入力により位置情報通知モードを設定することができる。位置情報通知モードは，移動端末１００が位置情報を所定の間隔で通知可能な状態であって，ユーザにより位置情報通知モードが設定された場合に所定の間隔で位置情報を通知するようにしてもよい。
【００２４】
また，移動端末１００は，ユーザの入力操作を判定することが可能であり，ユーザにより電源が投入／切断操作がなされたか否かを判定することができる。ここで，ユーザによる電源投入／切断操作とは，移動端末に備えられた電源オン／オフボタンの押下操作である。通常，電源オフボタンが押下されると，移動端末の電源が切断され，移動端末のすべての機能に電源が供給されなくなる。
【００２５】
しかし本実施形態にかかる移動端末１００は，ユーザによる入力操作を判定して，その入力操作が電源切断操作の場合には，表示画面の表示等ユーザが認識可能な機能についての電源を切断して，位置情報を通知する機能にのみ電源を供給することができる。これにより，見かけ上はあたかも電源オフの状態であるにもかかわらず，位置情報を通知することが可能となる。
【００２６】
さらに，上述した位置情報通知モード設定中に電源オフ操作がなされた場合に，所定の間隔で位置情報を通知するようにしてもよい。例えば，位置情報通知モードが設定された携帯電話を児童に持たせ，児童に誘拐等の緊急事態が発生した場合に，不審者が居場所を突きとめられないように電源オフの操作を行っても，位置情報を通知することが可能となる。
【００２７】
位置情報検知サーバ２００は，移動端末より送信された位置情報を受信して，受信した位置情報を情報記憶装置に記憶する機能を有する。位置情報検知サーバ２００に記憶された位置情報を確認することにより，上述した緊急事態が発生した場合においても，移動端末の位置を把握することができるため，誘拐された児童の保護等を速やかに行うことが可能となる。
【００２８】
ネットワーク３００は，上記移動端末１００および位置情報検知サーバ２００を通信可能に接続する通信回線網である。ネットワーク３００は，例えばインターネット，電話回線網，衛星通信網等の公衆回線網や，ＷＡＮ，ＬＡＮ，ＩＰ−ＶＰＮ等の専用回線網などで構成されており，有線，無線を問わない。
【００２９】
以上，位置情報検知システム１０の全体構成について説明した。次に，図２に基づいて，移動端末および位置情報検知サーバの機能構成について説明する。
【００３０】
＜２．移動端末および位置情報検知サーバの機能構成＞
図２は，本実施形態における移動端末１００および位置情報検知サーバ２００の機能構成図である。上述したように，移動端末１００および位置情報検知サーバ２００は，ネットワークを介して情報を送受信可能な情報処理装置である。
【００３１】
図２に示したように，移動端末１００は，入力部１０２と，暗証番号検証部１０４と，表示部１０６と，入力操作判定部１１２と，位置情報通知モード設定部１１４と，制御部１１６と，電源供給部１１８と，位置情報通知部１２０などから構成される。
【００３２】
入力部１０２は，例えばボタン等の操作手段を有し，移動端末１００を所持するユーザは，この入力部１０２を操作することにより，各種設定入力を行ったり，電源投入／切断操作を行ったりすることができる。
【００３３】
暗証番号検証部１０４は，入力部１０２においてユーザにより入力された暗証番号を検証する機能を有する。例えば，ユーザによる電源入力操作時やモード設定時などに，暗証番号検証部１０４により検証された暗証番号の正誤に応じて，電源供給の指示を行ったり，モード設定の変更指示を行ったりすることができる。
【００３４】
表示部１０６は，液晶ディスプレイ等の表示装置と，表示装置にデータを表示させるインタフェース部を含み，ユーザにより入力された内容やネットワーク３００を介して送受信した情報等を表示する表示装置である。また，表示部１０６は，照明部１０８や音声入出力部１１０などを含んで構成してもよい。照明部１０８は，例えばランプ等であって，入力部１０２や表示部１０６などを照らす機能を有する。音声入出力部１１０は，例えばスピーカやマイク等であって，音声情報の入力や出力を行う機能を有する。
【００３５】
入力操作判定部１１２は，入力部１０２においてユーザによりなされた入力操作の判定を行う機能を有する。例えば，ユーザが電源オンボタンを押下した場合には，ユーザにより電源投入操作がなされたと判定し，ユーザが電源オフボタンを押下した場合には，ユーザにより電源切断操作がなされたと判定する。電源オン／オフボタンは同一のボタンであってもよく，移動端末１００の電源が投入されているときに電源オン／オフボタンが押下された場合には，電源切断操作と判定し，電源が切断されているときに電源オン／オフボタンが押下された場合には，電源投入操作と判定してもよい。入力操作判定部１１２により判定された判定結果は，制御部１１６に提供される。
【００３６】
位置情報通知モード設定部１１４は，ユーザの入力に応じて位置情報通知モードを設定する機能を有する。上述したように，位置情報通知モードは，移動端末１００が位置情報を所定の間隔で通知可能な状態である。位置情報通知モード設定部１１４は，位置情報通知モード設定状況を制御部１１６に提供する。また，位置情報通知モード設定部１１４は，ユーザの入力に応じて位置情報通知モードを解除することもできる。この場合，ユーザにより暗証番号が入力され，暗証番号検証部１０４により暗証番号が正しいと判定された場合のみ位置情報通知モードを解除するようにしてもよい。
【００３７】
制御部１１６は，移動端末１００の各部の処理を制御する機能を有する。制御部１１６は，入力操作判定部１１２により判定された入力操作の判定結果および位置情報通知モード設定部１１４により設定された位置情報通知モードの設定状況を電源供給部１１８に提供する。
【００３８】
電源供給部１１８は，移動端末１００の各部に電源を供給する機能を有する。電源供給部１１８は，制御部１１６により提供された入力操作の判定結果および位置情報通知モードの設定状況に応じて，移動端末１００のどの機能に電源を供給するかを決定することができる。電源供給部１１８は，位置情報通知部１２０にのみ電源を供給したり，すべての機能に電源を供給したり，位置情報通知部１２０以外の各部に電源を供給したりすることができる。
【００３９】
位置情報通知モード設定部１１４により，位置情報通知モードが設定され，さらに入力操作判定部１１２によりユーザの入力操作が電源切断操作であると判定された場合には，電源供給部１１８は，位置情報通知部１２０にのみ電源を供給する。これにより，位置情報通知部１２０以外には電源が供給されないため，見かけ上は電源オフの状態とすることができる。しかしながら，位置情報通知部１２０のみには電源を供給するため，見かけ上はあたかも電源オフの状態であるにもかかわらず，位置情報通知部１２０により移動端末１００の位置情報を通知させることが可能となる。また，位置情報通知モード設定中にユーザにより電源オン／オフ操作がなされた場合には，位置情報通知部１２０には電源を供給したままで，位置情報通知部１２０以外に電源を供給したり，電源を供給しないようにしたりしてもよい。
【００４０】
位置情報通知部１２０は，電源供給部１１８により電源が供給されている間，移動端末１００の位置情報を所定の間隔で位置情報検知サーバ２００に通知する機能を有する。位置情報通知部１２０は，位置情報取得部１２２と位置情報送信部１２４などを備える。位置情報取得部１２２は，移動端末１００の位置する情報を取得する機能を有し，ＧＰＳ衛星から発信される情報や，ＰＨＳ用や携帯電話用に設置された基地局で得られる情報を利用して位置情報を取得することができる。
【００４１】
位置情報送信部１２４は，例えば，通信回線，通信回路，通信デバイス等で構成された通信インタフェースである。位置情報送信部１２４は，ネットワーク３００を介して，位置情報取得部１２２により取得された位置情報を位置情報検知サーバ２００に送信することができる。
【００４２】
上記構成によれば，ユーザにより位置情報通知モードが設定中に，電源オフ操作がなされた場合においても，所定の間隔で位置情報を通知することが可能となる。例えば位置情報通知モードが設定された携帯電話を児童に持たせ，児童に誘拐等の緊急事態が発生し，誘拐した不審者が居場所を突きとめられないように電源オフの操作を行っても，誘拐した不審者には気づかれることなく所定の間隔で移動端末の位置情報を通知することが可能となる。
【００４３】
本実施形態では，位置情報通知モードが設定され，電源オフ操作がなされた場合に位置情報を通知することが可能となるが，位置情報通知モードが設定されている間は常に所定の間隔で位置情報を通知するようにしてもよい。また，位置情報通知モード設定後，ユーザにより暗証番号入力がなされ，その暗証番号が正しいと判断された場合に位置情報通知モードを解除し，正しいと判断されない場合には，引き続き所定の間隔で位置情報を通知するようにしてもよい。
【００４４】
以上，移動端末１００の機能構成について説明した。次に，位置情報検知サーバ２００の機能構成について説明する。
【００４５】
図２に示したように，位置情報検知サーバ２００は，位置情報受信部２０２と，住所情報記憶部２０４と，地図情報記憶部２０６と，住所情報算出部２０８と，位置情報記憶部２１０などから構成される。
【００４６】
位置情報受信部２０２は，例えば，通信回線，通信回路，通信デバイス等で構成された通信インタフェースである。位置情報受信部２０２は，移動端末１００に備わる位置情報送信部１２４から送信された位置情報を受信して，住所情報算出部２０８に提供する。
【００４７】
住所情報記憶部２０４は，例えば，ハードディスクドライブ，フラッシュメモリ等で構成されたデータ格納用の装置であり，緯度経度等の位置情報と，住所情報とが関連付けられて記憶されている。
【００４８】
地図情報記憶部２０６は，例えば，ハードディスクドライブ，フラッシュメモリ等で構成されたデータ格納用の装置であり，住所情報と地図情報とが関連付けられて記憶されている。
【００４９】
住所情報算出部２０８は，位置情報受信部２０２より提供された位置情報に基づいて，住所情報記憶部２０４に記憶されている住所情報を取得する。さらに，算出した住所情報をもとに地図情報記憶部２０６に記憶されている地図情報を取得する。住所情報算出部２０８により取得された住所情報と地図情報は，位置情報記憶部２１０に記憶される。住所情報算出部２０８は，位置情報受信部２０２により位置情報を受信した日時を位置情報記憶部２１０に記憶するようにしてもよい。
【００５０】
位置情報記憶部２１０は，例えば，ハードディスクドライブ，フラッシュメモリ等で構成されたデータ格納用の装置であり，住所情報算出部２０８により提供された位置情報と地図情報とが記憶されている。住所情報および地図情報は，位置情報を受信した日時とともに記憶されるようにしてもよい。さらに，位置情報検知サーバ２００に移動端末が複数接続されている場合には，移動端末ごとに住所情報および地図情報を記憶するようにしてもよい。
【００５１】
本実施形態では，位置情報に基づいた住所情報と地図情報とが位置情報記憶部２１０に記憶されているが，位置情報受信部２０２により受信された位置情報を位置情報記憶部２１０に記憶するようにしてもよい。
【００５２】
上記構成によれば，移動端末１００により所定の間隔で取得された位置情報が位置情報検知サーバ２００の位置情報記憶部２１０に記憶され，記憶された位置情報を確認することにより，移動端末の位置を把握することができる。例えば，移動端末を所持する児童が誘拐等され，誘拐した不審者が居場所を突きとめられないように電源オフの操作を行っても，位置情報検知サーバ２００に記憶された位置情報から移動端末の位置を把握して，児童の保護を迅速に行うことが可能となる。
【００５３】
以上，位置情報検知サーバ２００の機能構成について説明した。位置情報検知サーバ２００に備えられている機能は，それぞれ別のサーバに備えられていてもよい。例えば，図３に示したように，位置情報検知サーバ２００に，位置情報サーバ２２４と管理サーバ２２６とデータベースサーバ２２８を備えてもよい。この場合，位置情報サーバ２２４は住所情報算出部２０８と住所情報記憶部２０４と地図情報記憶部２０６とを備え，管理サーバ２２６は位置情報受信部２０２を備え，データベースサーバ２２８は位置情報記憶部２１０を備えることにより，上述した位置情報検知サーバ２００と同様の機能を有する。
【００５４】
また，位置情報検知サーバ２００とは別の地図サーバ５００に地図情報を記憶させるようにしてもよい。この場合，地図情報記憶部２０６には，地図情報を記憶しているサーバの所在位置のみを記憶するようにしてもよい。
【００５５】
＜３．位置情報検知システムの構成例＞
そこで，本実施形態を図３に示した位置情報検知システム１０の例に適用して，位置情報検知システム１０の構成例について説明する。図３は，本実施形態にかかる位置情報検知システムの例を示した構成図である。
【００５６】
上述したように，位置情報検知サーバ２００は，位置情報サーバ２２４と，管理サーバ２２６と，データベースサーバ２２８などから構成される。位置情報検知サーバ２００は，ネットワーク上を流れるデータを他のネットワークに中継する機器であるルータ２２０によりネットワーク３００と接続されている。また，ルータ２２０は，ネットワークからの不正アクセスやウィルスなどからサーバを防御するファイヤウォール２２２と接続されている。このルータ２２０とファイヤウォール２２２と位置情報検知サーバとを含んでサービスセンタ４００が構成される。
【００５７】
管理サーバ２２６は，移動端末１００との間でネットワークを介した情報の送受信を管理するサーバであって，移動端末１００より送信された位置情報を受信し，受信した位置情報を位置情報サーバ２２４に提供する。位置情報サーバ２２４は，位置情報である緯度経度情報または基地局の情報に対応する住所情報と，住所情報に対応する地図情報が記憶された地図サーバの所在位置とを記憶している。
【００５８】
位置情報サーバ２２４は，管理サーバ２２６により提供された位置情報に基づいて住所情報を算出し，ネットワークを介して，地図サーバ５００より算出した住所情報に該当する地図情報を取得する。そして，住所情報と地図情報とをデータベースサーバ２２８に提供する。データベースサーバ２２８は，位置情報サーバ２２４により提供された住所情報と地図情報とを受信時刻とともに時系列で記憶する。
【００５９】
また，ネットワーク３００には地図サーバ５００が接続されていてもよい。地図サーバ５００は，地図情報を表示するためのデータを記憶し，サービスセンタ４００よりネットワークを介して位置情報を受信すると，その位置情報に該当する付近の地図情報をサービスセンタ４００に送信する。
【００６０】
移動端末１００は，ネットワーク３００を介してサービスセンタ４００と接続されている。移動端末１００により所定の間隔で取得された位置情報は，随時サービスセンタ４００に送信される。
【００６１】
以上，位置情報検知システム１０の構成例について説明した。次に，図４および図５に基づいて，移動端末１００における処理の流れについて説明する。
【００６２】
＜４．移動端末における処理の流れ＞
図４および図５は，移動端末１００における処理の流れを説明するフローチャートである。まず，通常通り電源が投入されている状態で，移動端末に表示されたメニュー画面から位置情報通知モードを選択する（Ｓ１０２）。移動端末に予め位置情報通知モードを設定するためのアプリケーションがインストールされていない場合には，事前に位置情報通知モードを設定するためのアプリケーションをダウンロードする。ダウンロードしたアプリケーションを起動させて，同様に，メニュー画面から位置情報通知モードを選択する。
【００６３】
次に，位置情報通知モードの詳細設定を行う（Ｓ１０４）。位置情報通知モードは，上述したように，移動端末の位置情報を所定の間隔で通知する状態である。ステップＳ１０４において，位置情報を取得してサーバに送信する間隔と，位置情報の通知先となるサーバと，位置情報通知モードの設定を解除する際の暗証番号を設定する。
【００６４】
ステップ１０２およびステップ１０４において位置情報通知モードが設定され，ユーザにより電源オフの操作が行われた場合，位置情報通知モードが起動する（Ｓ１０６）。ステップＳ１０６において，位置情報通知モードが起動すると，移動端末の表示部の電源を切断し，表示を消す。さらに，照明部等ユーザが認識できる機能の電源も切断する（Ｓ１０８）。その後，電源オン／オフボタンが押下される以外は移動端末の機能が動作しないようにし，電源オン／オフボタンが押下された場合には，移動端末の表示や照明等の電源を連動するようにする。
【００６５】
次に，ＧＰＳ衛星から発信される情報や，ＰＨＳ用や携帯電話用に設置された基地局で得られる情報を利用して位置情報を取得する（Ｓ１１０）。ステップＳ１１０において取得される位置情報は，ＧＰＳ衛星から発信される情報を用いた場合には，緯度経度情報から構成され，基地局で得られる情報を利用した場合には，基地局情報から構成される。
【００６６】
ステップＳ１１０において取得した位置情報を，ネットワークを介してサーバに送信する（Ｓ１１２）。このとき，取得した位置情報は，ステップＳ１０４において設定したサーバに送信される。
【００６７】
上述したように，ステップＳ１０４においてサーバに送信された位置情報は，サーバの情報記憶装置に記憶される。
【００６８】
以上ステップＳ１１２までの処理を処理Ａとする。図５に示したように，処理Ａが行われた後，ステップＳ１０４において設定した設定間隔を経過しているか否かを判定する（Ｓ１２０）。ステップＳ１２０において，設定間隔を経過していると判定された場合には，位置情報を取得する（Ｓ１２２）。そして，ステップＳ１２２において取得された位置情報をサーバに送信する（Ｓ１２４）。
【００６９】
ステップＳ１２０において設定間隔を経過していないと判定された場合には，ステップＳ１３０の判定を行う。ステップＳ１３０においては，電源の操作がなされたか否かを判定する（Ｓ１３０）。
【００７０】
ここで，電源の操作とは，上述したように，移動端末の電源オン／オフボタンの押下である。ステップＳ１３０において，電源の操作がないと判定された場合には，ステップＳ１２０の処理を行う。ステップＳ１３０において電源の操作がなされるまで，ステップＳ１２０からステップＳ１２４の処理を繰り返す。
【００７１】
ステップＳ１３０において，電源の操作があったと判定された場合には，電源の操作が電源オン操作であるか電源オフ操作であったかを判定する（Ｓ１３２）。ステップＳ１３２において，電源の操作が電源オフ操作であると判定された場合には，移動端末の表示部の電源を切断し，表示を消す。さらに，照明部等ユーザが認識できる機能の電源も切断する（Ｓ１３４）。そして，再びステップＳ１２０において，設定間隔を経過しているか否かの判定を行う。
【００７２】
ステップＳ１３２において，電源の操作が電源オン操作であると判定された場合には，移動端末の表示部の電源を投入し，さらに照明部等の電源も投入する（Ｓ１３６）。そして，ユーザにより暗証番号の入力があるか否かを判定する（Ｓ１３８）。ステップＳ１３８において暗証番号の入力がなされていないと判定された場合には，位置情報通知モードを設定したまま移動端末のすべての機能に電源を投入し，通常の状態と同様に移動端末を使用できるようにする。その後再びステップＳ１２０の処理が行われる。つまり，位置情報通知モードは設定されたままなので，位置情報の取得と送信は，設定された間隔で繰り返し行われることとなる。
【００７３】
ステップＳ１３８において暗証番号の入力があったと判定された場合には，位置情報通知モードを解除する（Ｓ１４０）。ステップＳ１４０において位置情報通知モードが解除された後は，位置情報がサーバに通知されず，通常モードとなる。
【００７４】
以上移動端末における処理の流れについて説明した。次に，図６に基づいて，位置情報検知システムの処理の流れについて説明する。
【００７５】
＜５．位置情報検知システムの処理の流れ＞
図６は，位置情報検知システムの処理の流れを説明する説明図である。まず，移動端末１００において，位置情報通知モードが設定される（Ｓ１５０）。上述したように，位置情報通知モードが設定され，ユーザにより電源切断操作がなされると，位置情報通知モードが起動して，位置情報が取得される（Ｓ１５１）。移動端末１００により取得された位置情報が管理サーバ２２６に送信される（Ｓ１５２）。
【００７６】
管理サーバ２２６において位置情報が受信されると（Ｓ１５４），位置情報が位置情報サーバ２２４に提供される（Ｓ１５６）。位置情報を提供された位置情報サーバ２２４は，位置情報に基づいて住所情報を算出する（Ｓ１５８）。また，住所情報に対応する地図情報が格納されている地図サーバ５００にアクセスして，地図情報を検索する（Ｓ１６０）。地図サーバ５００により住所情報に対応する地図情報が位置情報サーバ２２４に提供され（Ｓ１６２），位置情報サーバ２２４は，地図情報を取得する（Ｓ１６４）。
【００７７】
位置情報サーバ２２４は，住所情報と地図情報をデータベースサーバ２２８に提供する（Ｓ１６６）。データベースサーバは，位置情報サーバ２２４により提供された住所情報と地図情報を情報記憶装置に記憶する（Ｓ１６８）。
【００７８】
本実施形態では，位置情報サーバ２２４は，サービスセンタ４００に備えられているが，かかる例に限定されず，サービスセンタの外部に位置情報センタとして構成するようにしてもよい。この場合，移動端末１００により送信された位置情報は位置情報センタに送信され，位置情報センタにおいて住所情報を算出し，算出された住所情報がサービスセンタ４００に送信されるようにしてもよい。
【００７９】
また，地図サーバ５００は，位置情報検知サーバ２２０に備えられていてもよい。上述したように，位置情報サーバ２２４が，サービスセンタ４００の外部に位置情報センタとして構成されている場合には，位置情報センタに，地図サーバを備えてもよい。この場合，移動端末１００により送信された位置情報が位置情報センタに送信され，位置情報センタにおいて住所情報と地図情報とが算出され，住所情報と地図情報とがサービスセンタに送信される。
【００８０】
また，位置情報検知サーバ２００内の地図情報記憶部２０４，あるいは住所情報記憶部２０２および地図情報記憶部２０４を地図サーバ５００に設け，必要な時にその都度，地図サーバ５００から情報を取得してもよい。これにより位置情報検知サーバ２００の記憶領域を小さくすることができる。
【００８１】
以上，第１実施形態について説明した。次に，第２実施形態について説明する。
【００８２】
（第２実施形態）
第２実施形態では，ユーザが所有する移動端末と，通信事業者のサーバと，位置情報検知サーバとがネットワークを介して接続可能であり，移動端末により取得された位置情報が通信事業者サーバに送信された後，位置情報検知サーバに送信可能な位置情報検知システム２０に本発明にかかる位置情報検知システムを適用して説明する。
【００８３】
第２実施形態にかかる移動端末および位置情報検知サーバの機能構成は，第１実施形態とほぼ同様の機能構成であるため，第１実施形態とは異なるシステム構成および処理についておもに説明する。
【００８４】
＜６．位置情報検知システムの構成例＞
図７は，本実施形態にかかる位置情報検知システム２０の例を示した構成図である。本実施形態においては，本発明にかかる移動端末を携帯電話に適用して以下説明する。位置情報検知システム２０は，携帯電話１５０と，通信事業者サーバ５５０とが携帯電話網３５０を介して接続され，通信事業者サーバ５５０と地図サーバ５００とサービスセンタ４００とがネットワーク３００を介して接続されている。地図サーバ５００およびサービスセンタ４００は，第１実施形態とほぼ同様であるため，説明を省略する。
【００８５】
本実施形態にかかる携帯電話１５０は，各種情報を携帯電話網３５０を介して通信事業者サーバ５５０に送信する。第１実施形態においては，位置情報の送信先を予め設定する必要があったが，携帯電話１５０においては，予め位置情報の送信先となるサーバを指定する必要がなく，取得した位置情報は他の情報と同様に通信事業者サーバ５５０に送信される。携帯電話１５０において，位置情報通知モードが設定され，ユーザにより電源切断操作がなされた場合には，所定の間隔で位置情報が取得され，随時通信事業者サーバ５５０に送信される。
【００８６】
携帯電話１５０からの情報を受信する通信事業者サーバ５５０は，携帯電話１５０から受信した情報のうち，位置情報のみをサービスセンタに送信するようにしてもよい。これにより，携帯電話１５０のユーザは，位置情報がサービスセンタ４００に送信されるように設定しなくとも，位置情報通知モードを設定するだけで，取得した位置情報をサービスセンタに送信することが可能となる。サービスセンタ４００に送信された位置情報は，第１実施形態と同様サービスセンタ４００に備わるデータベースサーバ２２８の情報記憶装置に格納される。
【００８７】
以上，本実施形態にかかる位置情報検知システム２０のシステム構成例について説明した。次に，図８に基づいて位置情報検知システムの処理の流れを説明する。
【００８８】
＜７．位置情報検知システムの処理の流れ＞
図８は，位置情報検知システムの処理の流れを説明する説明図である。まず，携帯電話１５０において，位置情報通知モードが設定される（Ｓ１７０）。位置情報通知モードが設定され，ユーザにより電源切断操作がなされると，位置情報通知モードが起動して，位置情報が取得される（Ｓ１７１）。携帯電話１５０により取得された位置情報が，携帯電話網を介して通信事業者サーバ５５０に送信される（Ｓ１７２）。
【００８９】
通信事業者サーバ５００は，携帯電話１５０により送信された位置情報を，ネットワークを介してサービスセンタに備わる管理サーバ２２６に送信する（Ｓ１７４）。管理サーバ２２６において位置情報が受信されると（Ｓ１７６），位置情報が位置情報サーバ２２４に提供される（Ｓ１７８）。位置情報を提供された位置情報サーバ２２４は，位置情報に基づいて住所情報を算出する（Ｓ１８０）。また，住所情報に対応する地図情報が格納されている地図サーバ５００にアクセスして，地図情報を検索する（Ｓ１８２）。地図サーバ５００により住所情報に対応する地図情報が位置情報サーバ２２４に提供され（Ｓ１８４），位置情報サーバ２２４は，地図情報を取得する（Ｓ１８６）。
【００９０】
位置情報サーバ２２４は，住所情報と地図情報をデータベースサーバ２２８に提供する（Ｓ１８８）。データベースサーバは，位置情報サーバ２２４により提供された住所情報と地図情報を情報記憶装置に記憶する（Ｓ１９０）。以上，第２実施形態について説明した。
【００９１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００９２】
例えば，移動端末において取得された位置情報を，電子メールに添付して送信してもよい。電子メールを用いて位置情報を送信する場合には，移動端末は，設定された間隔で位置情報を含む電子メールを作成して，その電子メールを位置情報検知サーバに送信する。位置情報を含む電子メールを受信した位置情報検知サーバは，電子メールに含まれる位置情報を抽出して，移動端末の位置情報を取得することができる。
【産業上の利用可能性】
【００９３】
本発明は，移動端末の位置情報を所定の間隔で通知する位置情報検知システム，移動端末およびコンピュータプログラムに適用可能である。
【符号の説明】
【００９４】
１００      移動端末
１０４      暗証番号検証部
１０６      表示部
１１２      入力操作判定部
１１４      位置情報通知モード設定部
１１８      電源供給部
１２０      位置情報通知部
２００      位置情報検知サーバ
２０２      位置情報受信部
２０４      住所情報記憶部
２０６      地図情報記憶部
２０８      住所情報算出部
２１０      位置情報記憶部
３００      ネットワーク
【図１】
2010206810.tif 000003
【図２】
2010206810.tif 000004
【図３】
2010206810.tif 000005
【図４】
2010206810.tif 000006
【図５】
2010206810.tif 000007
【図６】
2010206810.tif 000008
【図７】
2010206810.tif 000009
【図８】
2010206810.tif 000010